(57)【要約】【課題】  周知の如く、個々の災害時とか、その避難時において、人（身体）の安全は保たれなければならない。その一例として、建屋内に設置するシェルタが挙げられる。このシェルタに避難することが、最適であって、かつ極めて当然と考えられる。しかし、この種のシェルタに関しては、現状では、構造面とか、価格面、或いは簡易性等を考えた場合、望ましい形状、又は構造は見当たらない。【解決手段】  本発明は、多数柱と、各柱に設けた多数枚の第１壁板と、第１壁板に重畳する多数枚の第２壁板と、第１壁板と第２壁板との間に開設した多数本の間柱とで骨格を造った筐体に常時、開放の出入口と、出入口を塞ぐ複数枚の扉と、扉を災害時自動に閉める手段と、でなる建屋の部屋に備えた災害用のシェルタであり、災害時の衝撃に対応できる、強度性と有効性とを備えたシェルタの提供と、災害時にシェルタ内への迅速な避難と、が図れる。【選択図】      図１
2019060158.tif 000002
【特許請求の範囲】
【請求項１】
筐体の多数柱と、この各柱の対峙面、又は角隅の各柱の交差面に、かつこの各柱の立設方向にそれぞれ形成した凹溝と、この凹溝間に両端を嵌合して取付けた多数枚の第１壁板と、前記各柱の内面に取付けるとともに、前記第１壁板に重畳する多数枚の第２壁板と、前記第１壁板と前記第２壁板との間に開設した多数本の間柱と、前記筐体に設けた常時、開放の出入口と、この出入口を塞ぐ複数枚の扉と、この各扉を災害時自動に閉める手段と、でなる建屋の部屋に備えた災害用のシェルタ。
【請求項２】
建屋の多数柱と、この各柱の対峙面、又は角隅の各柱の交差面に、かつこの各柱の立設方向にそれぞれ形成した凹溝と、この凹溝間に両端を嵌合して取付けた多数枚の第１壁板と、前記各柱の内面に取付けるとともに、前記第１壁板に重畳する多数枚の第２壁板と、前記第１壁板と前記第２壁板との間に開設した多数本の間柱と、前記筐体に設けた常時、開放の出入口と、この出入口を塞ぐ複数枚の扉と、この各扉を災害時自動に閉める手段と、でなる建屋の一部に備えた災害用のシェルタ。
【請求項３】
前記何れか一枚の扉が、災害時に自動的に閉まる手段は、アクチェエータか、傾斜レール及びロックピン・係止ダンパー・筋交いの組合せ、ワイヤと自動モータとの組合せ、の何れか一つとする請求項１、又は請求項２に記載の災害用のシェルタ。
【請求項４】
前記多数枚の第１壁板と、前記多数枚の第２壁板との間に、断熱材を付設する構成とした請求項１、又は請求項２に記載の災害用のシェルタ。
【請求項５】
前記筐体の床に第１開口部を形成し、この第１開口部は前記建屋の床下に備えた収納室に繋がり、この収納室に、生活用品を保管するか、或いは簡易トイレ、冷蔵庫、又は冷凍庫の機器の中から、何れか一つ、又は複数を付設する構成とした請求項１に記載の災害用のシェルタ。
【請求項６】
前記建屋の床に第２開口部を形成し、この第２開口部は前記収納室に繋がり、この収納室に、生活用品を保管するか、或いは簡易トイレ、冷蔵庫、又は冷凍庫の機器の中から、何れか一つ、又は複数を付設する構成とした請求項２に記載の災害用のシェルタ。
【発明の詳細な説明】
【技術分野】
【０００１】
本発明は、建屋の部屋に備えた災害用のシェルタか、又は建屋の部屋の一部に備えた災害用のシェルタかに関する。
【背景技術】
【０００２】
個々の災害時とか、その避難時において、人（身体）の安全は保たれなければならない。殊に、建屋内においては、設置されたシェルタに避難することが、最適であって、かつ極めて当然と考えられる。しかしながら、建屋内のシェルタに関しては、現状では、構造面とか、価格面、或いは簡易性等を考えた場合、望ましい形状、又は構造は見当たらない。
【０００３】
特許文献のシェルタとしては、次のような考案とか、発明が挙げられる。実用新案登録第３１６４０３７号公報の考案は、立方体骨格であって、二重構造の天井部と、壁部は厚板を隙間なく設置し、強度を確保することを意図する。しかしながら、木製の素材を緊密に組合せることで強度を図るものであって、目的達成には、改良の余地と、及び／又は、構造の改良が必要と考えられる。また、特開２０１３−１８１３４７号公報の発明は、部屋（室内）に設置した、簡易木造軸組釘打ち工法によるものであり、特段目新しい構造とか素材とかを使用しない。従って、前述の考案と同様に、目的達成には、改良の余地と、及び／又は、構造の改良が必要と考えられる。この発明に対しては、審査の上で、特開２０１０−１５６１７４号公報の発明が引用文献として挙げられている。
【０００４】
【特許文献１】実用新案登録第３１６４０３７号公報
【特許文献２】特開２０１３−１８１３４７号公報
【特許文献３】特開２０１０−１５６１７４号公報
【発明の概要】
【発明が解決しようとする課題】
【０００５】
前述の文献１−３では、一時の避難所としては有効性が見える。しかしながら、本来のシェルタとしての有効性と、機能面とを考えた際には、更に改良と、工夫が必要と考えられる。この改良と工夫とは、例えば、１．は、柱と壁板との連結関係、及び壁の強度確保、２．は、常時開放式出入口、及び自動式閉まり扉、３．は、壁と同じ強度を備え、衝撃対応に叶った天井等である。
【課題を解決するための手段】
【０００６】
本発明は、前記１．−３．の問題を解決することを意図し、請求項１−６を提案する。
【発明の効果】
【０００７】
請求項１の発明は、筐体の多数柱と、各柱の対峙面、又は角隅の各柱の交差面に、かつ各柱の立設方向にそれぞれ形成した凹溝と、凹溝間に両端を嵌合して取付けた多数枚の第１壁板と、各柱の内面に取付けるとともに、第１壁板に重畳する多数枚の第２壁板と、第１壁板と第２壁板との間に開設した多数本の間柱と、筐体に設けた常時、開放の出入口と、出入口を塞ぐ複数枚の扉と、各扉を災害時自動に閉める手段と、でなる建屋の部屋に備えた災害用のシェルタであり、災害時の衝撃に対応できる、例えば、強度性と有効性とを備えたシェルタの提供と、災害時にシェルタ内への迅速な避難と、が図れること、に特徴がある。殊に、常時開放している出入口があり、安心感と前記の迅速な避難に有益である。そして、本発明では、従来の木製（木質）板材と、大工の熟練度とを駆使することで、確実、かつ合理的に構築できる利点と、経済面での有利性とを備える。また、本発明では、複数枚の扉を配備したことで、シェルタに全方向から避難、出入りか、又は必要により、入室又は退室等でき有益である。
【０００８】
請求項２の発明は、建屋の多数柱と、各柱の対峙面、又は角隅の各柱の交差面に、かつ各柱の立設方向にそれぞれ形成した凹溝と、凹溝間に両端を嵌合して取付けた多数枚の第１壁板と、各柱の内面に取付けるとともに、第１壁板に重畳する多数枚の第２壁板と、第１壁板と第２壁板との間に開設した多数本の間柱と、筐体に設けた常時、開放の出入口と、出入口を塞ぐ複数枚の扉と、各扉を災害時自動に閉める手段と、でなる建屋の部屋の一部に備えた災害用のシェルタであり、前記請求項１と同じ効果があり、また、従来の建屋にも、簡易に設置できるシェルタである。また、本発明では、複数枚の扉を配備したことで、建屋の全方向から、シェルタに避難、出入りか、又は必要により、入室又は退室等でき有益である。
【０００９】
請求項３の発明は、何れか一枚の扉が、災害時に自動的に閉まる手段は、アクチェエータか、傾斜レール及びロックピン・係止ダンパー・筋交いの組合せ、ワイヤと自動モータとの組合せ、の何れか一つとする災害用のシェルタであり、請求項１・２の効果の達成と、併せて、障害者、老人等の弱者の保護に役立つ実益がある。
【００１０】
請求項４の発明は、多数枚の第１壁板と、多数枚の第２壁板との間に、断熱材を付設する構成とした災害用のシェルタであり、請求項１・２の効果の達成と、併せて、避難時の健康維持と、障害者、老人等の弱者の保護に役立つ実益がある。
【００１１】
請求項５の発明は、筐体の床に第１開口部を形成し、第１開口部は建屋の床下に備えた収納室に繋がり、収納室に、生活用品を保管するか、或いは簡易トイレ、冷蔵庫、又は冷凍庫の機器の中から、何れか一つ、又は複数を付設する構成とした災害用のシェルタであり、請求項１・２の効果の達成と、併せて、避難時の生命、及び／又は、健康維持と、少なくとも、障害者、老人等の弱者の保護、及び／又は、滞在に役立つ実益がある。
【００１２】
請求項６の発明は、建屋の床に第２開口部を形成し、第２開口部は収納室に繋がり、収納室に、生活用品を保管するか、或いは簡易トイレ、冷蔵庫、又は冷凍庫の機器の中から、何れか一つ、又は複数を付設する構成とした災害用のシェルタであり、請求項５と同じ効果が期待できる。
【図面の簡単な説明】
【００１３】
【図１】第１実施例であり、シェルタを筐体で構成した単独式のシェルタ（単独シェルタ）の一例を示した一部欠截の俯瞰図
【図２−１】第１実施例の骨格の一例を示した一部欠截の俯瞰図
【図２−２】第１実施例の壁要部の一例を示した各図で、（イ）壁要部の拡大正面図、（ロ）壁要部の拡大俯瞰図、（ハ）壁角隅要部の拡大俯瞰図
【図２−３】第１実施例の天井要部の一例を示した拡大平面図
【図３】第１実施例の出入口の一例を示した要部の（以下、要部を省略）拡大正面図
【図４】第１実施例の出入口の扉と自動式の閉まり手段の一例を示した拡大摸式図
【図５−１】第１実施例の外壁に断熱材を付設した一例を示した俯瞰図
【図５−２】第１実施例の壁板に、内張りするように、例えば、壁板、又は外壁を付設した（取付けた）一例を示した俯瞰図
【図６】第１実施例の単独シェルタを建屋の一室に設置した状態の一例を示した一部欠截の模式図
【図７】第２実施例であり、シェルタを建屋内に構築した建屋式のシェルタ（建屋シェルタ）の一例を示した一部欠截の俯瞰図
【図８】第２実施例の壁の一例を示した拡大俯瞰図
【図９】第２実施例の外壁に断熱材を付設した一例を示した俯瞰図
【図１０】第２実施例の土台と外壁との関係の一例を示した模式図
【図１１】第２実施例の出入口の一例を示した拡大俯瞰図
【図１２】第２実施例の出入口の扉と自動式の閉まり手段の一例を示した俯瞰図
【図１３】柱と梁、又は土台との組付け（構築）の一例を示した一部欠截の拡大模式図で、（イ）は楔形態を示し、（ロ）はダブル楔形態を示した
【図１４】床基礎の組付け（構築）の一例を示した一部欠截の拡大模式図
【発明を実施するための形態】
【００１４】
図１〜図６に示した筐体（躯体）形状の単独シェルタＡに関して説明すると、柱材１（木製角材）を、図１、図２−１に示したように構築（組付けて）し、シェルタＡの骨格Ａ１を造り上げる。骨格Ａ１の柱は、図２−２（イ）は正面より視た要部であって、図２−２（ロ）は、上より視た状態であり、柱材１の立設方向（矢視Ｘ）の対峙面１００、１０１には、凹溝２、２ａを形成する。また図２−２（ハ）は上より視た状態であり、シェルタＡの角隅の各柱材１の交差面１０２（対峙面１００、又は対峙面１０１に交差する面）には、凹溝２ｂを形成する。基礎の土台３に立設した多数本の柱材１の対峙面１００、１０１にある凹溝２、２ａにそれぞれ、望ましくは、２８ｍｍ厚（一例であり、板厚は、必要時、変更するし、又は時代の流れに準ずる。以下同じ、）の壁板５、５……（以下５等とする。第１壁板）を差込み支持する（シャクリ嵌めで支持する）。また、併せて、骨格Ａ１の角隅に当たる交差面１０２と対峙面１００、又は対峙面１０１との間にある凹溝２ｂと凹溝２、２ａとにそれぞれ、望ましくは、２８ｍｍ厚の壁板５等を差込み支持する。この多数本の柱材１間への各壁板５等の構築をもって壁Ａ２の一部壁Ａ２−１が構築される。この一部壁Ａ２−１を行った後（同時進行も可能）、外壁板６（第２壁板）を構築するが、望ましくは、柱材１の外面１０３に設けるとともに、壁板５と外壁板６との間に多数本の間柱７……（以下７等）を介在させて（壁板５、及び外壁板６とともに）強度の向上（外圧対抗力向上）を図る。外壁板６の厚みは、望ましくは、１２ｍｍとする。土台３は布基礎４の上に設ける。また、壁板５、及び／又は、外壁板６等は、必要により、二重とし（内張り、又は外張り等）、内壁、又は外壁とすることで強度の向上を図る（図５−２参照）。
【００１５】
図２−３、又は図７に示した天井Ａ３においては、軒桁Ａ３−１、又は妻梁Ａ３−２に柱材１で示した構造を利用し、多数本の軒桁Ａ３−１……（以下Ａ３−１等とする）、又は妻梁Ａ３−２……（以下Ａ３−２等とする）か、又は図示しないが、軒桁Ａ３−１、及び／又は、妻梁Ａ３−２の各凹溝（図示しない）に天井板８……（以下８等とする）を、載置か、又は差込み支持する。また図１の如く、天井板８等を、軒桁Ａ３−１等、又は妻梁Ａ３−２等に載置し（図１、図２−１等）、この天井板８等、及び／又は、軒桁Ａ３−１等、又は妻梁Ａ３−２等に重ねるように天井板８等と、補強用の垂木１０……を構築する。図中１１は天井板８等の室内側に設けた補強板（補強柱）であり、垂木１０等と同じ位置関係に設けることで、補強面（押圧対抗力向上）とか取付け手段の簡易化から望ましいと考えられる。尚、天井板８間にも補強板１１−１を付設するとともに、この補強板１１−１と、又は軒桁Ａ３−１等、又は妻梁Ａ３−２等と直交する位置関係（格子形態）とする。図１と、図２−１２等に示すように、上下の天井板８等間に空間空気層部８０……（以下８０等とする）を形成して、緩衝スペースとして活用することで、より衝撃緩和に有効である。この空間空気層部８０の考えは、図示しないが、前述した壁Ａ２にも当然採用できる。天井Ａ３には、防水シートを布設する。
【００１６】
また、図３に示したように、シェルタＡには常時開放式の多数の出入口１２……（以下、１２とする）が、壁Ａ２に設けられており、災害時に自動閉鎖する扉１３……（以下、１３とする）を備える。図４の如く、扉１３は、地震、津波、風雨等の各種の災害に順応できるように、例えば、各種センサ１５で働くアクチェエータか、傾斜レール及び起伏するロックピン・係止ダンパー・筋交いの組合せ、ワイヤと自動モータとの組合せ等による駆動手段１６を配備し、センサ１５が働き、出入口１２は自動的に閉まる構造である。当然、緊急対策が講じられている。尚、図示しないが、出入口１２は扉１３を設けないことも有り得る。尚、出入口１２は、例えば、シェルタＡの壁Ａ２の各所に、一個、又は多数個設けられるが、建屋Ｂ、一室Ｂ１とのスペースＳ（図６参照）、又は窓際等の危険個所等を考慮し、その数を制限する。また、大工の数（付設、施工時等において）、人数、障害者とか老人等の関係者を考慮した上で、最良の方策を検討する。また、出入口１２の框は補強する。尚、建屋Ｂを筋交い等で補強し、シェルタＡの負担軽減を図る。
【００１７】
図中２０は床下に設けた収納庫であり、シェルタＡ、及び／又は、建屋Ｂ等の床Ａ４の開口部１７と連なる。この収納庫２０には、生活用品、トイレ、冷蔵庫、又は衣料等の収納庫として利用する。
【００１８】
この一例では、柱１等と、柱１等に設けた各壁板５及び各外壁板６とにより、シェルタＡの壁Ａ２を構築するとともに、この壁に天井Ａ３を構築することで、第１実施例のシェルタＡができあがる。そして、このシェルタＡは、例えば、図６の如く、建屋Ｂの一室Ｂ１に配備される。
【００１９】
図中２１は断熱材であり、壁板５と外壁板６との間とか、天井板８間に配備される。室内の温度維持に利用する。
【００２０】
そして、災害時に、出入口１２より内部に逃げ込むことで、自動的に、扉１３が閉まり安全であることと、必要時に、内部より扉１３を開放して、他の人を入れることも可能である。また扉１３は施錠できる。シェルタＡは対抗性と密閉性等を備えており、地震、洪水、暴風雨等の災害に有効である。また必要により、浮力を備えることもあり得る。
【００２１】
続いて、図７〜図１２に示した建屋Ｂ一体形のシェルタＡＡに関して説明すると、柱材１とか、壁板５、外壁板６、間柱７とか天井板８、又は垂木１０、補強板１１とか補強板１１−１等の構造と組付けに関しては、シェルタＡと同じである。但し、出入口１２００は、原則として、開閉式で施錠できる。また扉１３００は、自動か手動の何れでも可能である。即ち、一般の建屋としての機能と構造とを備えている。また、シェルタＡの、出入口１２とか扉１３とを備えることも有り得る。尚、図９に示すように、壁板５、外壁板６とは、原則として、断熱材２１を備えた建屋Ｂの外壁Ｂ２を構築する。また、図８に示すように、壁板５、外壁板６を二重構造とすることで、建屋Ｂの外壁、又は内壁Ｂ３（間仕切り）となることも有り得る。
【００２２】
ここで構築された（構成された）建屋Ｂの一室Ｂ１は、シェルタＡＡである。その他の構成、及び／又は、使用方法、災害時の有効性等は、前述したシェルタＡと同じである。
【００２３】
図１３（イ）は、柱材１と妻梁Ａ３−２との固定箇所（連結箇所）において、妻梁Ａ３−２に楔形態の切欠いた第１合口傾斜面３０ａを形成し、柱材１の上端面に楔形態の切欠いた第２合口傾斜面３０ｂを形成する。この合口関係では、楔効果が発生する。従って、外部からの衝撃、押圧等の荷重に対して、耐え得る特徴がある。また、例えば、矢視方向からの衝撃に対して有効性が考えられる。尚、この関係は、柱材１と土台３との固定箇所でも同様である。以上の合口関係を確保し、初期の目的を達成できる。尚、（ロ）は、第１・第２合口傾斜面３０ａ・３０ｂの形態に変化を持たせたものであり、強度の向上が、より図れると考えられる。また、図１４は、床基礎を構成する、例えば、大引き２２と柱材１との合口関係を示している。この例は、例えば、上下方向衝撃・荷重に耐え得る特徴と、前述と同様に、例えば、矢視方向からの衝撃に対して有効性が考えられる。
【００２４】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００２５】
１  柱材
１００  対峙面
１０１  対峙面
１０２  交差面
１０３  外面
２  凹溝
２ａ  凹溝
２ｂ  凹溝
３  土台
４  布基礎
５  壁板
６  外壁板
７  間柱
８  天井板
８０  空間空気層部
１０  垂木
１１  補強版
１１−１  補強版
１２  出入口
１２００  出入口
１３  扉
１３００  扉
１５  センサ
１６  駆動手段
１７  開口部
２０  収納庫
２１  断熱材
２２  大引き
３０ａ  第１合口傾斜面
３０ｂ  第２合口傾斜面
Ａ  シェルタ
ＡＡ  シェルタ
Ａ１  骨格
Ａ２  壁
Ａ２−１  一部壁
Ａ３  天井
Ａ３−１  軒桁
Ａ３−２  妻梁
Ａ４  床
Ｂ  建屋
Ｂ１  一室
Ｂ２  外壁
Ｂ３  内壁
【図１】
2019060158.tif 000003
【図２−１】
2019060158.tif 000004
【図２−２】
2019060158.tif 000005
【図２−３】
2019060158.tif 000006
【図３】
2019060158.tif 000007
【図４】
2019060158.tif 000008
【図５−１】
2019060158.tif 000009
【図５−２】
2019060158.tif 000010
【図６】
2019060158.tif 000011
【図７】
2019060158.tif 000012
【図８】
2019060158.tif 000013
【図９】
2019060158.tif 000014
【図１０】
2019060158.tif 000015
【図１１】
2019060158.tif 000016
【図１２】
2019060158.tif 000017
【図１３】
2019060158.tif 000018
【図１４】
2019060158.tif 000019
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
多数柱と、この各柱の対峙面、又は角隅の各柱の交差面に、かつこの各柱の立設方向にそれぞれ形成した凹溝と、この凹溝間に両端を嵌合して取付けた多数枚の第１壁板と、前記各柱の外面に取付けるとともに、前記第１壁板に重畳する多数枚の第２壁板と、前記第１壁板と前記第２壁板との間に開設した多数本の間柱と、常時開放の出入口と、この出入口を塞ぐ複数枚の扉と、この各扉を災害時自動に閉める手段と、を備えた筐体でなる、建屋の部屋に備えた災害用のシェルタ。
【請求項２】
多数柱と、この各柱の対峙面、又は角隅の各柱の交差面に、かつこの各柱の立設方向にそれぞれ形成した凹溝と、この凹溝間に両端を嵌合して取付けた多数枚の第１壁板と、前記各柱の外面に取付けるとともに、前記第１壁板に重畳する多数枚の第２壁板と、前記第１壁板と前記第２壁板との間に開設した多数本の間柱と、常時開放の出入口と、この出入口を塞ぐ複数枚の扉と、この各扉を災害時自動に閉める手段と、でなる、建屋の部屋と一体となった災害用のシェルタ。
【請求項３】
前記何れか一枚の扉が、災害時に自動的に閉まる手段は、アクチェエータか、傾斜レール及びロックピン・係止ダンパー・筋交いの組合せ、ワイヤと自動モータとの組合せ、の何れか一つとする請求項１、又は請求項２に記載の災害用のシェルタ。
【請求項４】
前記多数枚の第１壁板と、前記多数枚の第２壁板との間に、断熱材を付設する構成とした請求項１、又は請求項２に記載の災害用のシェルタ。
【請求項５】
前記筐体の床に第１開口部を形成し、この第１開口部は前記建屋の床下に備えた収納室に繋がり、この収納室に、生活用品を保管するか、或いは簡易トイレ、冷蔵庫、又は冷凍庫の機器の中から、何れか一つ、又は複数を付設する構成とした請求項１に記載の災害用のシェルタ。
【請求項６】
前記建屋の床に第２開口部を形成し、この第２開口部は前記収納室に繋がり、この収納室に、生活用品を保管するか、或いは簡易トイレ、冷蔵庫、又は冷凍庫の機器の中から、何れか一つ、又は複数を付設する構成とした請求項５に記載の災害用のシェルタ。
【手続補正３】
【補正対象書類名】明細書
【補正対象項目名】０００７
【補正方法】変更
【補正の内容】
【０００７】
請求項１の発明は、多数柱と、各柱の対峙面、又は角隅の各柱の交差面に、かつ各柱の立設方向にそれぞれ形成した凹溝と、凹溝間に両端を嵌合して取付けた多数枚の第１壁板と、前記各柱の外面に取付けるとともに、前記第１壁板に重畳する多数枚の第２壁板と、前記第１壁板と前記第２壁板との間に開設した多数本の間柱と、常時開放の出入口と、出入口を塞ぐ複数枚の扉と、各扉を災害時自動に閉める手段と、を備えた筐体でなる、建屋の部屋に備えた災害用のシェルタであり、災害時の衝撃に対応できる、例えば、強度性と有効性とを備えたシェルタの提供と、災害時にシェルタ内への迅速な避難と、が図れること、に特徴がある。殊に、常時開放している出入口があり、安心感と前記の迅速な避難に有益である。そして、本発明では、従来の木製（木質）板材と、大工の熟練度とを駆使することで、確実、かつ合理的に構築できる利点と、経済面での有利性とを備える。また、本発明では、複数枚の扉を配備したことで、シェルタに全方向から避難、出入りか、又は必要により、入室又は退室等でき有益である。
【手続補正４】
【補正対象書類名】明細書
【補正対象項目名】０００８
【補正方法】変更
【補正の内容】
【０００８】
請求項２の発明は、多数柱と、各柱の対峙面、又は角隅の各柱の交差面に、かつ各柱の立設方向にそれぞれ形成した凹溝と、凹溝間に両端を嵌合して取付けた多数枚の第１壁板と、前記各柱の外面に取付けるとともに、前記第１壁板に重畳する多数枚の第２壁板と、前記第１壁板と前記第２壁板との間に開設した多数本の間柱と、常時開放の出入口と、出入口を塞ぐ複数枚の扉と、各扉を災害時自動に閉める手段と、でなる、建屋の部屋と一体となった災害用のシェルタであり、前記請求項１と同じ効果があり、また、従来の建屋にも、簡易に設置できるシェルタである。また、本発明では、複数枚の扉を配備したことで、建屋の全方向から、シェルタに避難、出入りか、又は必要により、入室又は退室等でき有益である。